(57)【要約】【課題】組立性を向上させた光源モジュールおよび照明器具を提供する。【解決手段】実施形態によれば、支持体と、カバーと、保持部材と、を備えた光源モジュールが提供される。前記支持体は、光源が設けられた基板を支持する。前記カバーは、前記支持体に支持された前記基板を覆う。前記保持部材は、前記カバーを前記支持体に保持する。弾性体が前記保持部材に設けられる。前記保持部材は、前記弾性体が摺動する摺動部と、前記弾性体の一部が掛止する掛止部と、を有する。【選択図】図１
2016004676.tif 000002
【特許請求の範囲】
【請求項１】
光源が設けられた基板を支持する支持体と；
前記支持体に支持された前記基板を覆うカバーと；
前記カバーを前記支持体に保持し、弾性体が設けられた保持部材と；
を備え、
前記保持部材は、前記弾性体が摺動する摺動部と、前記弾性体の一部が掛止する掛止部と、を有することを特徴とする光源モジュール。
【請求項２】
前記摺動部は、開口部を有し、
前記弾性体の端部が前記開口部に挿通することを特徴とする請求項１記載の光源モジュール。
【請求項３】
前記保持部材に前記弾性体を固定する固定金具をさらに備えることを特徴とする請求項１または２に記載の光源モジュール。
【請求項４】
請求項１〜３のいずれかに記載の光源モジュールと；
前記光源モジュールを取り付ける取付金具を有する器具本体と；
を備え、
前記弾性体は、前記掛止部に掛止する当接部を有し、
前記当接部は、前記掛止部と、前記取付金具と、の間に設けられることを特徴とする照明器具。
【発明の詳細な説明】
【技術分野】
【０００１】
本発明の実施形態は、光源モジュール及び照明器具に関する。
【背景技術】
【０００２】
天井に取り付けられて室内を照明する照明器具がある。照明器具は、光源モジュールと、この光源モジュールを収容する器具本体と、を有する。光源モジュールと、器具本体と、は、金具等を用いて連結され、光源モジュールが器具本体から着脱して落下することを抑制している。このような照明装置において、組立性の向上が望まれる。
【先行技術文献】
【特許文献】
【０００３】
【特許文献１】特開２０１２−３９９３号公報
【発明の概要】
【発明が解決しようとする課題】
【０００４】
本発明の実施形態は、組立性を向上させた光源モジュール及び照明器具を提供する。
【課題を解決するための手段】
【０００５】
本発明の実施形態によれば、支持体と、カバーと、保持部材と、を備えた光源モジュールが提供される。前記支持体は、光源が設けられた基板を支持する。前記カバーは、前記支持体に支持された前記基板を覆う。前記保持部材は、前記カバーを前記支持体に保持する。弾性体が前記保持部材に設けられる。前記保持部材は、前記弾性体が摺動する摺動部と、前記弾性体の一部が掛止する掛止部と、を有する。
【発明の効果】
【０００６】
本発明の実施形態によれば、組立性を向上させた光源モジュールおよび照明器具を提供することができる。
【図面の簡単な説明】
【０００７】
【図１】第１実施形態の照明器具の模式的斜視図である。
【図２】器具本体の模式的斜視図である。
【図３】図３（ａ）及び図３（ｂ）は、第１実施形態の光源モジュールの模式的斜視図である。
【図４】第１実施形態の光源モジュールの模式的分解斜視図である。
【図５】第１実施形態の照明器具の内部を示す図である。
【図６】図６（ａ）及び図６（ｂ）は、第１実施形態の光源モジュールの一部を示す図である。
【図７】図７（ａ）及び図７（ｂ）は、光源モジュール及び器具本体の取り付けを説明する図である。
【図８】図８（ａ）及び図８（ｂ）は、第２実施形態の光源モジュールの一部を示す図である。
【図９】第２実施形態の光源モジュールの一部を示す図である。
【発明を実施するための形態】
【０００８】
実施形態に係る発明は、光源が設けられた基板を支持する支持体と；前記支持体に支持された前記基板を覆うカバーと；前記カバーを前記支持体に保持し、弾性体が設けられた保持部材と；を備え、前記保持部材は、前記弾性体が摺動する摺動部と、前記弾性体の一部が掛止する掛止部と、を有することを特徴とする光源モジュールである。
この光源モジュールによれば、組立性を向上させることができる。
【０００９】
また、前記摺動部は、開口部を有し、前記弾性体の端部が前記開口部に挿通することを特徴とする光源モジュールである。
この光源モジュールによれば、組立性を向上させることができる。
【００１０】
また、前記保持部材に前記弾性体を固定する固定金具をさらに備えることを特徴とする光源モジュールである。
この光源モジュールによれば、組立性を向上させることができる。また、外力や塵埃などから前記弾性体を保護し、前記弾性体の変形等が抑制される。
【００１１】
実施形態に係る発明は、光源モジュールと；前記光源モジュールを取り付ける取付金具を有する器具本体と；を備え、前記弾性体は、前記掛止部に掛止する当接部を有し、前記当接部は、前記掛止部と、前記取付金具と、の間に設けられることを特徴とする照明器具である。
この照明器具によれば、組立性を向上させることができる。
【００１２】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
（第１実施形態）
図１は、第１実施形態の照明器具の模式的斜視図である。
図２は、器具本体の模式的斜視図である。
図３（ａ）及び図３（ｂ）は、第１実施形態の光源モジュールの模式的斜視図である。
図４は、第１実施形態の光源モジュールの模式的分解斜視図である。
図２は、器具本体１０を取り外した状態を示している。図３（ａ）及び図３（ｂ）は、光源モジュール２０を取り外した状態を示している。図４は、図３（ａ）の光源モジュール２０の分解斜視図である。
【００１４】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。
【００１５】
図２に表すように、器具本体１０は、筐体１１と、取付金具１４と、電源回路１５と、端子台１６と、を備える。また、筐体１１は、反射板１２と、端板１３と、を備える。
【００１６】
筐体１１は、光源モジュール２０の一部を収容するための凹部１１ａを有する。また、筐体１１には、照明器具１００を天井面などに取り付けるための金具（例えば、ネジ）や電源回路１５に電力を供給する電源ケーブルなどを通すための複数の開口が設けられる。
【００１７】
筐体１１には、鉄、アルミニウム、または、ステンレスなどの金属材料が用いられる。筐体１１に金属材料を用いることにより、器具本体１０の耐久性を高めることができる。筐体１１には、樹脂材料を用いても良い。
【００１８】
反射板１２は、光源モジュール２０内の光源２６から照射された光を反射する。反射板１２によって反射された光は、照明器具１００の下方に向かう。
端板１３は、反射板１２の長手方向の両端に設けられている。筐体１１の凹部１１ａは、反射板１２及び端板１３に囲まれた部分である。
【００１９】
取付金具１４は、反射板１２の上に設けられている。取付金具１４は、凹部１１ａに収容された光源モジュール２０の保持部材２３と係合し、筐体１１の凹部１１ａから抜ける方向への移動を規制する。取付金具１４には、筐体１１と同様の金属材料が用いられる。取付金具１４は、弾性を有する。取付金具１４は、例えば、板バネ等の取付バネである。
【００２０】
電源回路１５は、外部から供給される電力を光源モジュール２０に対応した電圧または電流に変換して、光源モジュール２０に供給する。光源モジュール２０は、電源回路１５からの電力供給に応じて光源２６を点灯させ、光を照射する。電源回路１５は、照明器具１００とは別に設けても良い。
【００２１】
端子台１６は、外部の電源と電源回路１５との間の電気的な接続や、電源回路１５と各光源２６との間の電気的な接続に用いられる。電源回路１５及び端子台１６は、ネジ止めなどにより、筐体１１の凹部１１ａ内に取り付けられる。
【００２２】
図３及び図４に表すように、光源モジュール２０は、支持体２１と、カバー２２と、保持部材２３と、側板２４と、基板２５と、光源２６と、を備える。支持体２１は、第１面２１ａと、第１面２１ａと反対側の第２面２１ｂと、を有する。基板２５は、第１面２５ａと、第１面２５ａと反対側の第２面２５ｂと、を有する。
【００２３】
支持体２１は、光源２６が設けられた基板２５を支持する。支持体２１の第１面２１ａと、基板２５の第２面２５ｂと、が対向するように、支持体２１は、基板２５を支持する。基板２５は、接着などによって支持体２１に固定しても良い。また、基板２５は、ネジ止めなどによって着脱可能に支持体２１に取り付けても良い。支持体２１は、基板２５を着脱可能に支持しても良い。側板２４の取り付け方向から見た支持体２１の形状は、略Ｕ字状である。
【００２４】
カバー２２は、支持体２１に取り付けられ、支持体２１上の基板２５に設けられた光源２６を覆う。カバー２２は、外力や塵埃などから光源２６を保護する。カバー２２は、光透過性を有する。カバー２２は、光源２６の放出する光に対して光透過性である。カバー２２は、透明である。カバー２２は、光拡散性を有しても良い。カバー２２には、光透過性の樹脂材料が用いられる。
【００２５】
保持部材２３は、カバー２２を支持体２１に保持する。つまり、保持部材２３は、カバー２２を支持体２１から外れないようにする。光源モジュール２０には、複数の保持部材２３が設けられる。複数の保持部材２３は、支持体２１の第２面２１ｂに設けられる。この例では、３つの保持部材２３が設けられる。保持部材２３の数は、任意で良い。保持部材２３の数は、１つまたは２つでも良いし、４つ以上でも良い。
【００２６】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００２７】
側板２４は、カバー２２の長手方向の両端に設けられている。側板２４の形状は、略扇形状である。
【００２８】
基板２５には、光源２６が設けられている。基板２５には、例えば、複数の光源２６が設けられる。各光源２６は、基板２５の第１面２５ａに並べて配置される。光源２６の数は、任意で良い。光源２６の数は、例えば、１つでも良い。
【００２９】
光源２６には、例えば、発光ダイオード（Light Emitting Diode：ＬＥＤ）が用いられる。光源２６は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２６は、電球などでも良い。
【００３０】
図５は、第１実施形態の照明器具の内部を示す図である。
図６（ａ）及び図６（ｂ）は、第１実施形態の光源モジュールの一部を示す図である。
図５は、器具本体１０の反射板１２が光源モジュール２０の保持部材２３に取り付けられている状態を示している。図６は、反射板１２の上に設けられた取付金具１４が保持部材２３に係合している状態を示している。なお、図６において、反射板１２は図示されていない。
【００３１】
図５に表すように、反射板１２は、例えば、一枚の板金から形成されている。反射板１２は、複数の屈曲部１２ｆを有する。凹部１１ａは、複数の屈曲部１２ｆの一部によって形成される。また、反射板１２は、複数の開口部１２ｏを有する。取付金具１４の両端は、開口部１２ｏを挿通して保持部材２３と係合する。取付金具１４は、ネジ等を用いて反射板１２に固定される。
【００３２】
保持部材２３は、摺動部３０と、把持部３１と、を有する。把持部３１は、摺動部３０の両端に設けられる。把持部３１は、支持体２１の一端と、カバー２２と、を挟んで把持する。支持体２１の一端は、湾曲している。
【００３３】
把持部３１は、例えば、板バネ状であり、支持体２１及びカバー２２を挟むことにより、カバー２２の係合が解除されてしまうことを抑制する。保持部材２３は、把持部３１で挟むことにより、カバー２２の開きを抑制する。このように、保持部材２３は、支持体２１に取り付けられ、カバー２２を支持体２１に保持する。
【００３４】
把持部３１には、抑え部３１ａが設けられている。抑え部３１ａは、支持体２１の一端とカバー２２とを挟む部分である。また、把持部３１の一方には、弾性体４０を掛止する掛止部３１ｂが設けられている。把持部３１の他方には、取付金具１４の湾曲部１４ａを掛止する爪部３１ｃが設けられている。爪部３１ｃは、外側に向かって突出する。爪部３１ｃは、器具本体１０の取り付けに用いられる。
【００３５】
また、把持部３１にワイヤーが設けられても良い。例えば、溶接加工によってワイヤーが把持部３１に設けられる。ワイヤーは、光源モジュール２０の外側に向くように把持部３１に設けられ、取付金具１４に引っ掛けることができる。例えば、光源モジュール２０が器具本体１０から外れても、ワイヤーが取付金具１４の湾曲部１４ａに引っ掛かる。これにより、光源モジュール２０が器具本体１０から落下することを抑制する。
【００３６】
摺動部３０には、弾性体４０が設けられている。弾性体４０は、例えば、トーションバネである。弾性体４０は、連結した２つのトーションバネである。また、摺動部３０には、開口３０ａ、３０ｂが設けられている。
【００３７】
図６（ａ）に表すように、弾性体４０の端部４０ａ、４０ｂが開口（開口部）３０ａ、３０ｂにそれぞれ挿通している。端部４０ａ、４０ｂの形状が略Ｌ字状であるので、端部４０ａ、４０ｂは、開口３０ａ、３０ｂに掛止されて固定される。
【００３８】
図６（ｂ）に表すように、弾性体４０の当接部４０ｃは、把持部３１の一方に設けられた掛止部３１ｂに掛止される。弾性力によって、当接部４０ｃは、掛止部３１ｂに掛止される。掛止部３１ｂに掛止された当接部４０ｃは、取付金具１４の湾曲部１４ａによって押圧される。つまり、当接部４０ｃが掛止部３１ｂと湾曲部１４ａとの間に挟み込まれることで、当接部４０ｃは固定される。
【００３９】
端部４０ａ、４０ｂが開口３０ａ、３０ｂに掛止され、当接部４０ｃが掛止部３１ｂに掛止されて取付金具１４に押圧されることで、保持部材２３は、取付金具１４上の反射板１２に固定される。また、弾性体４０の弾性力と、取付金具１４の押圧力と、によって、保持部材２３は、反射板１２に取り付けられる。つまり、光源モジュール２０は器具本体１０に取り付けられる。
【００４０】
３つの保持部材２３が光源モジュール２０に設けられているので、３つの弾性体４０が３つの摺動部３０に設けられている。また、保持部材２３は、６つの把持部３１を有し、６つの把持部３１の内、３つの把持部３１に掛止部３１ｂが設けられる。
【００４１】
図７（ａ）及び図７（ｂ）は、光源モジュールと器具本体との取り付けを説明する図である。
図７（ａ）は、光源モジュール２０を器具本体１０に取り付ける前の状態を示している。図７（ｂ）は、光源モジュール２０を器具本体１０に取り付けた後の状態を示している。
【００４２】
図７（ａ）に表すように、摺動部３０の開口３０ａ、３０ｂに弾性体４０の端部４０ａ、４０ｂを掛止するように、弾性体４０を矢印の方向に可動させる。図７（ｂ）に表すように、端部４０ａ、４０ｂが開口３０ａ、３０ｂに掛止して固定された後、把持部３１の一方に設けられた掛止部３１ｂに、弾性体４０の当接部４０ｃを当接して掛止する。
【００４３】
そして、掛止部３１ｂに掛止された当接部４０ｃは、取付金具１４の湾曲部１４ａによって押圧される。弾性体４０の弾性力と、取付金具１４の押圧力と、によって、保持部材２３は、取付金具１４の上の反射板１２に取り付けられる。
光源モジュール２０は、器具本体１０に取り付けられる。
【００４４】
器具本体１０から光源モジュール２０を取り外すように、照明器具１００を設置する方向（例えば、天井方向）とは反対方向に光源モジュール２０に外力を加えた場合、弾性体４０の荷重が開放する。弾性体４０の荷重が開放すると、弾性体４０の当接部４０ｃは、取付金具１４の湾曲部１４ａに当接した状態で固定されなくなる。つまり、当接部４０ｃは、湾曲部１４ａに押圧されずに湾曲部１４ａ内に引っかかり、弾性体４０は、図７（ａ）の矢印の方向とは反対方向に可動して端部４０ａ、４０ｂが摺動部３０の開口３０ａ、３０ｂに掛止される。
器具本体１０から光源モジュール２０を取り外すように、下向きの外力が光源モジュール２０に加えられた場合、光源モジュール２０は、器具本体１０に対して仮吊りの状態となる。仮吊りの状態とは、例えば、図７（ａ）に表される状態である。
【００４５】
ここで、光源モジュールの落下を抑制するためのチェーンが器具本体に設けられる。器具本体に複数のチェーンを設ける場合、各チェーンに対応した複数のフックが設けられる。器具本体にチェーンを設けるために、工具等を用いて器具本体を加工する必要があり、照明器具の組み立てが困難である。
【００４６】
また、器具本体から光源モジュールを取り外す場合、工具等を用いて器具本体の取付金具を外す必要があり、照明器具の作業性が良くない。
【００４７】
本実施形態に係る照明器具１００では、光源モジュール２０に弾性体４０を設けている。また、弾性体４０の端部４０ａ、４０ｂが摺動部３０の開口３０ａ、３０ｂに掛止され、弾性体４０の当接部４０ｃが把持部３１の掛止部３１ｂに掛止されて取付金具１４の湾曲部１４ａに押圧されている。これにより、照明器具１００の組み立てが容易になり、器具本体から光源モジュールを取り外す際の作業性が改善される。
【００４８】
本実施形態によれば、組立性を向上させた光源モジュールおよび照明器具が提供される。
【００４９】
（第２実施形態）
図８（ａ）及び図８（ｂ）は、第２実施形態の光源モジュールの一部を示す図である。
図９は、第２実施形態の光源モジュールの一部を示す図である。
図８及び図９は、反射板１２の上に設けられた取付金具１４が保持部材２３に係合している状態を示している。また、図８は、固定金具４１が弾性体４０の上に設けられている状態を示し、図９は、固定金具４１を外した状態を示している。なお、図８及び図９において、反射板１２は図示されていない。
【００５０】
図８（ａ）に表すように、固定金具４１が弾性体４０を覆っている。固定金具４１は、鉄、アルミニウム、または、ステンレスなどの金属材料が用いられる。固定金具４１は、外力や塵埃などから弾性体４０を保護する。固定金具４１によって弾性体４０の変形が抑制される。
【００５１】
固定金具４１は、任意の形状を有する。例えば、固定金具４１の形状は、弾性体４０が可動できる範囲に基づいて決められる。弾性体４０が連結した２つのトーションバネである場合、固定金具４１は２つの連続した凹状を有する。固定金具４１は、ねじ等を用いて保持部材２３の摺動部３０に取り付けられる。
【００５２】
図８（ｂ）に表すように、弾性体４０の当接部４０ｃは、把持部３１の一方に設けられた掛止部３１ｂに掛止される。弾性力によって、当接部４０ｃは、掛止部３１ｂに掛止される。掛止部３１ｂに掛止された当接部４０ｃは、取付金具１４の湾曲部１４ａによって押圧される。つまり、当接部４０ｃが掛止部３１ｂと湾曲部１４ａとの間に挟み込まれることで、当接部４０ｃは固定される。
【００５３】
図９に表すように、弾性体４０の両端部は連結しており、開口は摺動部３０に設けられていない。つまり、第１実施形態とは異なり、弾性体４０の両端部は、摺動部３０の開口に掛止されない。本実施形態では、弾性体４０が可動できる範囲に固定金具４１が設けられているので、弾性体４０の可動を規制することができる。
【００５４】
弾性体４０が固定金具４１内を可動し、弾性体４０の当接部４０ｃが把持部３１の掛止部３１ｂに掛止されて取付金具１４に押圧される。これにより、保持部材２３は、取付金具１４上の反射板１２に固定される。また、弾性体４０の弾性力と、取付金具１４の押圧力と、によって、保持部材２３は、反射板１２に取り付けられる。つまり、光源モジュール２０は器具本体１０に取り付けられる。
【００５５】
照明器具１００の組み立てが容易になり、器具本体から光源モジュールを取り外す際の作業性が改善される。
本実施形態によれば、組立性を向上させた光源モジュールおよび照明器具が提供される。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０…器具本体、  １１…筐体、１１ａ…凹部、  １２…反射板、  １２ｆ…屈曲部、  １２ｏ…開口部、  １３…端板、  １４…取付金具、  １４ａ…湾曲部、  １５…電源回路、  １６…端子台、  ２０…光源モジュール、  ２１…支持体、  ２１ａ、２５ａ…第１面、  ２１ｂ、２５ｂ…第２面、  ２２…カバー、  ２３…保持部材、  ２４…側板、  ２５…基板、  ２６…光源、  ３０…摺動部、  ３０ａ、３０ｂ…開口、  ３１…把持部、  ３１ａ…抑え部、  ３１ｂ…掛止部、  ３１ｃ…爪部、  ４０…弾性体、  ４０ａ、４０ｂ…端部、  ４０ｃ…当接部、  ４１…固定金具、  １００…照明器具
【図１】
2016004676.tif 000003
【図２】
2016004676.tif 000004
【図３】
2016004676.tif 000005
【図４】
2016004676.tif 000006
【図５】
2016004676.tif 000007
【図６】
2016004676.tif 000008
【図７】
2016004676.tif 000009
【図８】
2016004676.tif 000010
【図９】
2016004676.tif 000011